(57)【要約】【課題】帽子の有無にかかわらず誰でも容易に使用することができるヘッドアップ矯正用のゴルフ練習具を提供する。【解決手段】特定の方向へ指向するレーザービームＬを発生させるレーザー発生部１０と、使用者によって咥持可能な外形を有する咥持部２０と、が一体的に結合されてなるゴルフ練習具１である。使用者Ｐが咥持部２０を咥持した状態でレーザー発生部１０からレーザービームＬを発生させ、地面に載置されたゴルフボールＢ付近をレーザービームＬで照射する。【選択図】図３
0003169247.tif 000002
【実用新案登録請求の範囲】
【請求項１】
特定の方向へ指向するレーザービームを発生させるレーザー発生部と、使用者によって咥持可能な外形を有する咥持部と、が一体的に結合されてなり、
使用者が前記咥持部を咥持した状態で前記レーザー発生部から発生したレーザービームによって、地面に載置されたゴルフボール付近を照射するように構成される、
ゴルフ練習具。
【請求項２】
前記レーザー発生部からのレーザービームのオン／オフを実現させるレーザースイッチを備える、
請求項１に記載のゴルフ練習具。
【請求項３】
前記レーザースイッチは、前記咥持部に設けられ使用者の前歯によって操作可能とされる、
請求項２に記載のゴルフ練習具。
【請求項４】
前記咥持部は、使用者の口腔内に収納された状態で使用者の上下の前歯によって咥持される口腔内部分を有する、
請求項１から３の何れか一項に記載のゴルフ練習具。
【請求項５】
前記咥持部は、前記口腔内部分が使用者の上下の前歯によって咥持された際に使用者の唇に密着する鍔部分を有する、
請求項４に記載のゴルフ練習具。
【請求項６】
前記咥持部は、抗菌加工及び／又は防臭加工が施された材料によって構成される、
請求項１から５の何れか一項に記載のゴルフ練習具。
【請求項７】
前記レーザー発生部は、赤色のレーザービームを発生させるように構成される、
請求項１から６の何れか一項に記載のゴルフ練習具。
【考案の詳細な説明】
【技術分野】
【０００１】
本考案は、ゴルフ練習具に関する。
【背景技術】
【０００２】
従来より、ゴルフプレイヤーのショット（ゴルフボール打撃）時におけるヘッドアップを矯正するための道具が種々提案されている。
【０００３】
例えば、現在においては、取付板を介してプレイヤーの帽子の庇にレーザービーム発生部を装着し、地面に照射されたレーザービームの光点を利用してプレイヤーがヘッドアップを認識できるようにしたゴルフ練習具が提案されている（特許文献１参照）。
【０００４】
また、近年においては、プレイヤーの帽子の一部に軽量の棒状体の一端を装着し、この棒状体の他端をゴルフスイングの際の視線方向誘導部として使用するゴルフスイング補正具も提案されている（特許文献２参照）。
【先行技術文献】
【特許文献】
【０００５】
【特許文献１】特開平１１−１１４１２４号公報
【特許文献２】特開２００５−３０５０５２号公報
【考案の概要】
【考案が解決しようとする課題】
【０００６】
しかし、前記した特許文献１及び２に記載された従来のヘッドアップ矯正用の道具は、その一部（取付板や棒状体）がプレイヤーの帽子の一部に装着された状態で使用されるものであるため、プレイヤーが帽子を被らない場合にはそもそも使用することができないという問題があった。
【０００７】
また、プレイヤーが帽子を被る場合においても、帽子の被り方がプレイヤーによって異なったり、道具の一部を帽子に装着する際に装着位置にずれが生じたりすることから、前記した従来のヘッドアップ矯正用の道具は全てのプレイヤーにとって必ずしも使い易いものではなかった。このため、誰でも容易に使用することができるヘッドアップ矯正用の道具が待望されていた。
【０００８】
本考案は、かかる事情に鑑みてなされたものであり、帽子の有無にかかわらず誰でも容易に使用することができるヘッドアップ矯正用のゴルフ練習具を提供することを目的とする。
【課題を解決するための手段】
【０００９】
前記目的を達成するため、本考案に係るゴルフ練習具は、特定の方向へ指向するレーザービームを発生させるレーザー発生部と、使用者によって咥持可能な外形を有する咥持部と、が一体的に結合されてなるものであって、使用者が咥持部を咥持した状態でレーザー発生部から発生したレーザービームによって、地面に載置されたゴルフボール付近を照射するように構成されるものである。
【００１０】
かかる構成を採用すると、使用者（ゴルフプレイヤー）は、ゴルフクラブをスイングしてゴルフボールの打撃練習を行う際に、本ゴルフ練習具の咥持部を咥持した状態でレーザー発生部からレーザービームを発生させて、地面に載置されたゴルフボール付近をレーザービームによって照射することができる。従って、使用者は、スイングの際に自らがヘッドアップしているか否かを、レーザービームによって容易に認識することができる。この結果、使用者は、ヘッドアップを修正して打撃フォームを改善することができるので、きわめて短期間で上達することが可能となる。
【００１１】
本考案に係るゴルフ練習具において、レーザー発生部からのレーザービームのオン／オフを実現させるレーザースイッチを備えることができる。
【００１２】
かかる構成を採用すると、使用者は、必要なときのみレーザービームを発生させることができるので、レーザービームの電源の消費電力を抑制することができ、電源（例えばボタン型電池）の使用期間を延ばすことができる。
【００１３】
また、本考案に係るゴルフ練習具において、咥持部に設けられ使用者の前歯によって操作可能とされるレーザースイッチを採用することもできる。
【００１４】
かかる構成を採用すると、使用者は、本ゴルフ練習具の咥持部を咥持したまま前歯でレーザービームのオン／オフを行うことができる。従って、わざわざ手指を使ってスイッチを操作する必要がなくなり、ゴルフクラブを手で握ったままレーザービームのオン／オフ操作を行うことができるので、その分打撃練習に集中することができる。
【００１５】
また、本考案に係るゴルフ練習具において、咥持部は、使用者の口腔内に収納された状態で使用者の上下の前歯によって咥持される口腔内部分を有することができる。
【００１６】
かかる構成を採用すると、使用者は、咥持部の口腔内部分を口腔内に収納して上下の前歯で咥持することにより、咥持部の上下位置を固定することができる。
【００１７】
また、本考案に係るゴルフ練習具において、咥持部は、口腔内部分が使用者の上下の前歯によって咥持された際に使用者の唇に密着する鍔部分を有することができる。
【００１８】
かかる構成を採用すると、使用者は、咥持部の鍔部分の唇に密着させることにより、咥持部の前後位置を固定することができる。
【００１９】
また、本考案に係るゴルフ練習具において、抗菌加工及び／又は防臭加工が施された材料によって構成された咥持部を採用することができる。
【００２０】
かかる構成を採用すると、咥持部を長時間咥持して使用した場合においても、口腔内における雑菌の繁殖や異臭の発生を抑制することができる。従って、使用者は、本ゴルフ練習具を長時間にわたって快適に使用することができ、打撃練習を長時間継続して行うことができるので、その分上達することが可能となる。
【００２１】
また、本考案に係るゴルフ練習具において、赤色のレーザービームを発生させるように構成されたレーザー発生部を採用することが好ましい。
【００２２】
かかる構成を採用すると、レーザー発生部から赤色のレーザービームを発生させることができるので、照射位置の視認が容易となる。従って、使用者は、ヘッドアップをより一層容易に修正することができる。
【考案の効果】
【００２３】
本考案によれば、帽子の有無にかかわらず誰でも容易に使用することができるヘッドアップ矯正用のゴルフ練習具を提供することが可能となる。
【図面の簡単な説明】
【００２４】
【図１】本考案の実施形態に係るゴルフ練習具の構成を説明するためのものであり、（Ａ）は平面図、（Ｂ）は側面図、（Ｃ）は正面図、（Ｄ）は裏面図である。
【図２】図１に示すゴルフ練習具のレーザー発生部からレーザービームが照射されている状態の斜視図である。
【図３】（Ａ）はゴルフプレイヤーが図１に示すゴルフ練習具の咥持部を咥持した状態でゴルフクラブを構えている状態を示す図であり、（Ｂ）は（Ａ）のIIIB部分の拡大図である。
【考案を実施するための形態】
【００２５】
以下、図面を参照して、本考案の実施形態に係るゴルフ練習具１について説明する。
【００２６】
まず、図１及び図２を用いて、本実施形態に係るゴルフ練習具１の構成について説明する。
【００２７】
本実施形態に係るゴルフ練習具１は、図１に示すように、特定の方向へ指向するレーザービームを発生させるレーザー発生部１０と、使用者（例えば図３に示すゴルフプレイヤーＰ）によって咥持可能な外形を有する咥持部２０と、が一体的に結合されてなるものである。
【００２８】
レーザー発生部１０は、図１及び図２に示すように、全体として丸みを帯びた直方体状の外形を有しており、その一方の先端部には、レーザービームＬを照射するための照射口１１が設けられている。レーザー発生部１０は、合成樹脂材料等で構成することができる。
【００２９】
レーザー発生部１０の内部には、図示していないレーザービーム発振素子、制御回路、電源となるボタン型電池等が収納配置されている。制御回路は、後述するレーザースイッチ２３と電気的に接続されており、レーザースイッチ２３がオン操作されると、制御回路がレーザービーム発振素子を介してレーザービームＬを発生させる。レーザービームＬは、照射口１１から外部の特定の方向へ向けて照射されることとなる。本実施形態においては、出力約１ｍＷ以下で波長４００〜７００ｎｍの赤色のレーザービームＬを発生させている。
【００３０】
咥持部２０は、図１に示すように、使用者の口腔内に収納された状態で使用者の前歯によって咥持される口腔内部分２１と、口腔内部分２１が使用者の前歯によって咥持された際に使用者の唇に密着するように配置された鍔部分２２と、を有している。咥持部２０は、木材、竹材、合成樹脂材料等で構成することができる。本実施形態においては、金、銀、プラチナ、チタン、胴等の無機金属をイオン化した液体に咥持部２０を浸漬することにより、咥持部２０に抗菌加工及び防臭加工を施している。
【００３１】
咥持部２０の口腔内部分２１は、使用者の口腔内に収納され易くかつ使用者の前歯で咥持され易いように、くびれ部２１ａを有している。咥持部２０の鍔部分２２は、正面視（裏面視）で略矩形状を呈し、平面視で緩い円弧を描くように湾曲させられることにより、左右の端部が中央部と比較して口腔内部分２１側に近接している。このような形状により、口腔内部分２１が使用者の前歯によって咥持された際に鍔部分２２の一方の面（レーザー発生部１０と反対側の面）を使用者の唇に密着させることができる。
【００３２】
咥持部２０の口腔内部分２１の上部には、レーザー発生部１０におけるレーザービームＬのオン／オフを実現させるレーザースイッチ２３が設けられている。レーザースイッチ２３は、使用者の前歯によって操作可能とされており、レーザー発生部１０の制御回路に電気的に接続されている。このようなレーザースイッチ２３により、使用者は、手を使うことなくレーザービームＬのオン／オフ操作を行うことができる。
【００３３】
次に、図３を用いて、本実施形態に係るゴルフ練習具１の使用方法について説明する。
【００３４】
まず、使用者であるゴルフプレイヤーＰは、図３（Ｂ）に示すように、ゴルフ練習具１の咥持部２０の口腔内部分２１を口腔内に収納し、上下の前歯で口腔内部分２１を咥持することにより、咥持部２０の上下位置を固定する。また、この際、ゴルフプレイヤーＰは、咥持部２０の鍔部分２２を唇に密着させることにより、咥持部２０の前後位置を固定する。
【００３５】
次に、ゴルフプレイヤーＰは、ゴルフ練習具１の咥持部２０に設けられたレーザースイッチ２３を前歯でオン操作することにより、レーザー発生部１０でレーザービームＬを発生させる。なお、咥持部２０を咥持する前に、ゴルフプレイヤーＰが手指で予めレーザースイッチ２３をオン操作してレーザービームＬを発生させておくこともできる。
【００３６】
続いて、ゴルフプレイヤーＰは、図３（Ａ）に示すように、ゴルフクラブＣのグリップを両手で把持し、地面に載置されたゴルフボールＢにクラブヘッドＨのフェースをアドレスする。この際、ゴルフプレイヤーＰの視線及び口元がゴルフボールＢに向けられるため、ゴルフ練習具１のレーザー発生部１０で発生させたレーザービームＬがゴルフボールＢ付近に照射される。
【００３７】
ゴルフプレイヤーＰは、このようにゴルフ練習具１からのレーザービームＬがゴルフボールＢ付近に照射された状態でゴルフクラブＣのスイングを行う。ゴルフプレイヤーＰがヘッドアップしている場合には、レーザービームＬの照射位置が当初の位置からずれてしまう。このため、ゴルフプレイヤーＰは、スイング中におけるレーザービームＬの照射位置のずれを視認することにより、自らのヘッドアップを認識することができる。
【００３８】
以上説明した実施形態に係るゴルフ練習具１を採用すると、使用者であるゴルフプレイヤーＰは、ゴルフクラブＣをスイングしてゴルフボールＢの打撃練習を行う際に、咥持部２０を咥持した状態でレーザー発生部１０からレーザービームＬを発生させて、地面に載置されたゴルフボールＢ付近をレーザービームＬによって照射することができる。従って、ゴルフプレイヤーＰは、スイングの際に自らがヘッドアップしているか否かを、レーザービームＬによって容易に認識することができる。この結果、ゴルフプレイヤーＰは、ヘッドアップを修正して打撃フォームを改善することができるので、きわめて短期間で上達することが可能となる。
【００３９】
また、以上説明した実施形態に係るゴルフ練習具１においては、レーザースイッチ２３が設けられているため、ゴルフプレイヤーＰは必要なときのみレーザービームＬを発生させることができるので、レーザービームＬの電源であるボタン型電池の消費電力を抑制することができ、ボタン型電池の使用期間を延ばすことができる。
【００４０】
また、以上説明した実施形態に係るゴルフ練習具１においては、前歯によって操作可能とされるレーザースイッチ２３を採用しているため、ゴルフプレイヤーＰは、咥持部２０を咥持したまま前歯でレーザービームＬのオン／オフを行うことができる。従って、わざわざ手指を使ってスイッチを操作する必要がなくなり、ゴルフクラブＣを手で握ったままレーザービームＬのオン／オフ操作を行うことができるので、その分打撃練習に集中することができる。
【００４１】
また、以上説明した実施形態に係るゴルフ練習具１においては、ゴルフプレイヤーＰの口腔内に収納された状態で上下の前歯によって咥持される口腔内部分２１を有する咥持部２０を採用しているため、ゴルフプレイヤーＰは、咥持部２０の上下位置を固定することができる。
【００４２】
また、以上説明した実施形態に係るゴルフ練習具１においては、口腔内部分２１が使用者Ｐの上下の前歯によって咥持された際にゴルフプレイヤーＰの唇に密着する鍔部分２２を有する咥持部２０を採用しているため、ゴルフプレイヤーＰは、咥持部２０の前後位置を固定することができる。
【００４３】
また、以上説明した実施形態に係るゴルフ練習具１においては、咥持部２０に抗菌加工及び防臭加工を施しているため、咥持部２０を長時間咥持して使用した場合においても、口腔内における雑菌の繁殖や異臭の発生を抑制することができる。従って、ゴルフプレイヤーＰは、本ゴルフ練習具１を長時間にわたって快適に使用することができ、打撃練習を長時間継続して行うことができるので、その分上達することが可能となる。
【００４４】
また、以上説明した実施形態に係るゴルフ練習具１においては、レーザー発生部１０から赤色のレーザービームＬを発生させることができるので、照射位置の視認が容易となる。従って、ゴルフプレイヤーＰは、ヘッドアップをより一層容易に修正することができる。
【００４５】
なお、以上説明した実施形態においては、ゴルフ練習具１を用いてゴルフボール打撃の際のスイング補正（ヘッドアップ矯正）を行う例を示したが、他の静止ボール打撃型スポーツ（例えばゲートボール等）におけるスイング補正にも本練習具１を使用することができる。また、ドライバー、ウッド、アイアン、パター等どのような種類のゴルフクラブによる練習においても本練習具１を適用することができる。その他、本考案の趣旨を逸脱しない範囲内において種々の設計変更を行うことができるのは勿論である。
【符号の説明】
【００４６】
１…ゴルフ練習具
１０…レーザー発生部
２０…咥持部
２１…口腔内部分
２２…鍔部
２３…レーザースイッチ
Ｂ…ゴルフボール
Ｌ…レーザービーム
Ｐ…使用者
【図１】
0003169247.tif 000003
【図２】
0003169247.tif 000004
【図３】
0003169247.tif 000005